(57)【特許請求の範囲】
【請求項１】
円筒形容器１の側面２に、結束バンド９のバンド部１４を挿入する縦長孔３１を一ヵ所以上設けて、前記円筒形容器１の内周面５の上端に折曲部７を設けて、前記折曲部７の上面に着脱できる蓋４を設けたことを特徴とする結束バンド容器。
【請求項２】
円筒形容器１Ａ内に結束バンド９のバンド部１４を挿入すると、渦巻状になるように内周面５Ａの一端より誘導板８を設けたことを特徴とする請求項１記載の結束バンド容器。
【請求項３】
半楕円体容器１１の平面上に着脱できる蓋４Ａを設けて、前記蓋４Ａに結束バンド９のバンド部１４を挿入する横長孔３１Ｂを一ヵ所以上設けて、前記蓋４Ａの裏側に誘導板８Ａを設けたことを特徴とする結束バンド容器。
【発明の詳細な説明】
【発明の詳細な説明】
【技術分野】
【０００１】  本発明は、可撓性のプラスチック締付片の結束バンドを容器に納めることで、携帯としても利用できる。よって容器より結束バンドを取り出して電気配線や通信ケーブル等の線材束を巻き付けたり、固定材にケーブル等を巻きつける。あるいは、配管工事において配管に断熱材等を巻付けることが容易にできるように結束バンドを変形する工具であって、携帯にしても結束バンドが抜け落ちない工具に関する。
【背景技術】
【０００２】  従来、結束バンドを用いて電線、信号、通信ケーブルの配線工事又は、エアコン配管、ドレン管あるいは、配管に断熱材を巻き付けるとき、手が入りにくい狭い部分や、格子状の所にケーブル等を巻付けて取付ける工事において反対側に手が届かない所においては、結束バンドの先端を引き出すことが困難によって工事の手間が掛かることである。
あるいは、配管に断熱材を巻付ける作業において狭く手が入りにくいところでは、作業効率の悪いものである。
また、結束バンドは弾力性また、滑りやすいため作業袋、衣類ポケット等に収めた状態でも、飛び出したりして落下することが多いことから不便であった。【０００３】  結束バンドを効率よく利用しようとするものに、以下のようなものが公報によって知られている。
従来には、ニッパーに似た形状をしたもので、夫々ハンドル部を有する２個一対の工具本体と、該本体を相対回動可能にハサミ形に連結する枢軸と、本体の先端部に夫々設けられたバンド枢軸が利用されている。（例えば特許文献１参照）
また、締付片代用自動銃なるもので、ケーブルのような束のまわりに、可撓性のプラスチック締付片を自動で巻きつける装置である。（例えば特許文献２参考）
また、結束バンドのバンド部が嵌合される嵌合溝が設けられ、バンド部が合嵌溝に嵌合わされたときに結束バンドとともにワイヤハーネスを挟み込むようにして挟持するＵ字状のアームを有する結束バンド取付け用治具がある。（例えば特許文献３参照）【０００４】
【特許文献１】  特開平７−２４１７８１号広報
【特許文献２】  特開平８−５８７１２号広報
【特許文献３】  特開平１０−１４４１５６号広報
【発明の開示】
【発明が解決しょうとする課題】
【０００５】  しかしながら、従来の工具にも下記のような問題がある。
特許文献１、又は２において、配線工事、配管工事、断熱巻工事でキヤタツ等を利用して高所の工事には使いずらく、並びに狭い所では使うことが困難である。
また、これらの工事として利用するには高価なものである。
【０００６】  特許文献３において、配線基板上によって結束バンドを利用するものが主であり、携帯として配線工事、配管工事等による工事において手の入りにくい所、狭い場所での結束工事には不向きである。
【０００７】  特許文献１、２、又は３において、携帯容器としては不向きである。
【０００８】  そこで本発明は、上記の課題に鑑み、製品単価を安く提供するもので、結束バンドを本発明の容器に納め衣服やバンドに付けることで携帯容器としても結束バンドが抜け落ちることもなく、軽量で、使いやすいものである。
そして、利用時に結束バンドを取り出すと丸み状、またはＵ字状に形成することで、狭い所や、手の回らない所でも結束バンドの巻付けによる、配線作業、配管工事または、配管の断熱材の巻き付け作業を容易に進めることができるようにするものである。
【課題を解決するための手段】
【０００９】  上記の課題を解決するため、円筒形容器１の側面２に、結束バンド９のバンド部１４を挿入する縦長孔３１を一ヵ所以上設けて、前記円筒形容器１の内周面５の上端に折曲部７を設けて、前記折曲部７の上面に着脱できる蓋４を設ける。よって時間を経過した後に前記円筒形容器１より取り出すと丸み状、またはＵ字状に変形することを特徴とする。
【００１０】また、円筒形容器１Ａ内に結束バンド９のバンド部１４を挿入すると、渦巻状になるように内周面５Ａの一端より誘導板８を設けたことで前記円筒形容器１Ａ内に収納が容易である。
【００１１】また、半楕円体容器１１の平面上に着脱できる蓋４Ａを設けて、前記蓋４Ａに結束バンド９のバンド部１４を挿入する横長孔３１Ｂを一ヵ所以上設けて、前記蓋４Ａの裏側に誘導板８Ａを設けたことを特徴とする。
【発明の効果】
【００１２】  本発明は、以上説明したように構成されているので、以下に記載されているような効果を奏する。
【００１３】  請求項１記載の発明によれば、衣服や腰まわりに装着して、可撓性のプラスチック締付片の結束バンドを多数納めて、激しい作業をおこなっても抜け落ちることもなく作業効率の向上を図ることができる。
また、本容器より取り出した結束バンドは、丸み状ないし、Ｕ字状を変形していることから、ケーブル工事でケーブルを固定体に結束する配線工事で、手が回らず結束バンドの先端が取りづらい所、また過密なエアコン内の配管に断熱材に巻く作業等が容易にできるものである。
また、製品コストも安くて経済性にも優れているものである。
【００１４】  請求項２記載の発明によれば、本容器に結束バンドを縦長孔より挿入して納めるとき、円滑に入ることで効率的である。さらに、結束バンドを引き出すと丸み状、あるいはＵ字状の形が短時間に型崩れせず形成できることで、結束作業がやりやすく作業時間を短縮できるものである。
【００１５】  請求項３記載の発明によれば、蓋の表面より全ての結束バンドのヘッドが並ぶことから、作業現場によって作業箱に固定して利用、または腰まわりに装着しても、取り出すことが容易であることから、請求項１と同様の作業も効率よく、便利に利用できるものである。
【発明を実施するための最良の形態】
【００１６】  本発明の実施の形態について図面を参照して説明する。
図１〜図６を参照して、本発明に係る可撓性のプラスチック締付片なる結束バンド９の収納容器でバンド１４の形を変えることができる円筒形容器１の第一実施例の図である。
図から円筒形容器１の側面２に上端から下端にかけて縦長孔３１、３２を設けて、前記縦長孔３１、３２の開方向は面に対して斜めにすることで、挿入するとき結束バンド９内周面５に沿って入りやすくなる。なお前記縦長孔３１、３２の径は、結束バンド９のヘット１０が入らない大きさとする。【００１７】また図６に示すように前記円筒形容器１の上面側に着脱できる蓋４を設けて、前記蓋４の両端に留具１５とその下部に係合部１６、及び前記円筒形容器１の側面２に被係合部１７を設ける。【００１８】また、前記円筒形容器１の上面側である、内周面の上端に折曲部７を設ける。
さらに、下面側に衣服やベルト等に装着できるようにベルトホルダー１２を設ける。【００１９】よって、図２、図３に示すように前記円筒形容器１の前記縦長孔３１、３２に結束バンド９のバンド先端１３が通して入ってゆくと、バンド部１４、バンド先端１３は前記円筒形容器１の内側の面である内周面５に沿って進み、このときバンド先端１３、バンド部１４は折曲部７にも接触しながら円形状に収まる。
さらに次の結束バンド１を納めるとき、納めた結束バンドのヘッド１０を他の指で押さえながら順次納めて、必要数の結束バンド９を収納する。一つの縦長孔３１に空きがなくなれば、他の縦長孔３２に挿入して納めて必要の数を前記円筒形容器１に収納するものである。【００２０】また、図４、図５に示すように前記円筒形容器１の前記蓋４外して前記縦長孔３１、３２にまとめた数の結束バンド９を一度に斜めに通して、結束バンド９の束を撓めて折曲部７の内側に押し込むようにして納める。納めた弾力性を有する結束バンド９であるが折曲部７によって外に飛び出さず丸み状になって収納される。その後前記円筒形容器１に蓋４を装着する。【００２１】  なお、前記円筒形容器１の折曲部７を設けずに結束バンド９を納めて使うことも可能であるが、蓋４を外して結束バンド９を挿入すると次のような問題がある。
容器内に入った結束バンド９は弾力性によって飛び出すことが多く収納が困難である。よって蓋４を外さず一本づつ納めることになる。【００２２】  ここで、前記円筒形容器１の内径は、納める結束バンド９の長さによって異なるもので、一例として結束バンド９の長さ１０ｃｍ〜２３ｃｍ程度、幅３ｍｍ〜６ｍｍ程度、厚み１ｍｍ〜１．５ｍｍ程度を納めるとき前記円筒形容器１の径は約６ｃｍ、高さは約４ｃｍである。とき２０本程の収納ができる。また縦長孔３１、３２は高さ約３．５ｃｍ、幅約２ｍｍ〜２．５ｍｍで２箇所の縦長孔を設けたとき２０本程の収納で、３箇所設けたとき３０本程収納できるものである。【００２３】  納められた可撓性のプラスチック締付片なる結束バンド９は巻装し抜け落ちない状態となる。
また、前記円筒形容器１に納めた結束バンド９は丸み状になって収納されているため数分の経過でもやや丸みを帯びた形になるが、完全な丸み状あるいは、Ｕ字状の変形となるには数十分の時間を要するものである。
納められた結束バンド９を利用して作業をおこなうとき、ベルトホルダー１２でバンドや作業服に装着したり、作業服に入れたりする。利用するときは結束バンド９のヘッド１０を持ち、引き抜くと図７、図８に示すように歯側を内側にして丸み状、Ｕ字状に変形している。
したがって、実施の作業例として図１５に示すように狭い林立した被結束物の支持柱１８にケーブル１９を連続に結束して取付ける作業のとき、結束バンド９のバンド先端１３を掴むことができないときでも、丸み状であれば容易に回すことができ結束ができる。
また、エアコンの配管の断熱材巻きの作業などで、狭く手先が入りにくい所においても容易に巻いてバンド先端１３をヘッド１０に挿入して結束ができる。
以上のことから作業効率を高めることができる。【００２４】  なを、前記円筒形容器１を楕円形容器の形状にしても同様の効果が得られる。【００２５】  また、図９、図１０は第二実施例を示すもので、前記円筒形容器１の内部に誘導板８を設ける。前記誘導板８の取付け端は前記縦長孔３２Ａに入れるバンド部１４が前記内周面５Ａと前記誘導板８の間に挿入になるよう取付ける。【００２６】よって、結束バンド９のバンド先端１３及び、バンド１０が縦長孔３１Ａ，３１Ｂより入ると誘導板８と内周面５Ａの間に沿って進み渦巻状に納まる構造から、結束バンド９の長さは前記のべた長さよりやや長めでも収納が可能である。また誘導板８による弾性力により、強固に巻装されることから、容易に抜け落ちない、さらに丸み状，Ｕ字状に変形することが短時間で済み効率が良いものである。【００２７】  また、図１１、図１２、図１３、図１４は第三実施例を示すもので、半楕円体容器１１の平面を上面にして、上面に蓋４Ａを設ける。前記蓋４Ａは両端に留具１５Ａを設けて、留具１５Ａの一端に係合部１６Ａと前記半楕円体容器１１の上部の両端に被係合部１７Ａを設ける。
前記蓋４Ａに結束バンド９を挿入する横長孔３１Ｂ、３２Ｂを設けて、前記蓋４Ａの裏面の前記横長孔３２Ｂの付近に誘導板８Ａを設ける。前記誘導板８Ａは前記楕円体容器１１の内周やや取り巻く状態にする。なお前記半楕円体容器１１の側面にベルトホルダー１２Ａを設ける。【００２８】  よって、前記半楕円体容器１１に結束バンド９を横長孔３１Ｂ、３２Ｂより挿入すると内周面５Ｂと誘導板８Ａの間に沿って渦巻状に納まる。このとき結束バンド９は前記内周面５Ｂと誘導板８Ａに挟まれた状態となることで、抜け出ないように作用をする。よって前記半楕円容器１１を逆さにしても抜け落ちないものである。
また結束バンド９は前記記載したと同様に丸み状、Ｕ字状に変形となるものである。【００２９】  したがって、作業のとき全てのヘッド１０は前記蓋４Ａの上面に出ていることから使いやすいものである。
【図面の簡単な説明】
【００３０】
【図１】  本発明の第一実施例を示す図で、蓋側より見た斜視図である。
【図２】  本発明の第一実施例を示す図で、ベルトホルダー側より見た斜視図である。
【図３】  本容器の蓋を外して内部を見た正面図で、結束バンドを挿入する図である。
【図４】  本容器の蓋を外して、結束バンドを斜めに通した全体の斜視図である。
【図５】  図４の結束バンドを撓めて本容器に納めようとする斜視図である。
【図６】  円筒形容器と円筒形容器より蓋を外した状態の斜視図である。
【図７】  本容器より結束バンドを取り出した一例の平面図である。
【図８】  図７と同様の結束バンドの、もう一例の平面図である。
【図９】  本発明の第二実施例で、上面の蓋を外した状態の斜視図である。
【図１０】  図９のＡ−Ａ｀における断面の正面図で結束バンドの納まった図である。
【図１１】  本発明の第三実施例を示す斜視図である。
【図１２】  図１１の側面図である。
【図１３】  第三実施例の蓋を裏側より、誘導板見た図である。
【図１４】  図１３の蓋部分の側面図である。
【図１５】  結束バンドを支持柱に利用する状態の図である。
【符号の説明】
【００３１】１、１Ａは円筒形容器
２、２Ａは側面
３１、３２、３１Ａ、３２Ａは縦長孔
３１Ｂ、３２Ｂは横長孔
４、４Ａは蓋  
５、５Ａ、５Ｂは内周面  
６は内周面上端  
７、７Ａは折曲部
８、８Ａは誘導板
９は結束バンド
１０はヘッド
１１は半楕円体容器
１２、１２Ａはベルトホルダー
１３はバンド先端
１４はバンド部
１５、１５Ａは留具
１６、１６Ａは係合部  
１７、１７Ａは被係合部
１８は支持柱
１９はケーブル
【図１】
0004623411.tif 000002
【図２】
0004623411.tif 000003
【図３】
0004623411.tif 000004
【図４】
0004623411.tif 000005
【図５】
0004623411.tif 000006
【図６】
0004623411.tif 000007
【図７】
0004623411.tif 000008
【図８】
0004623411.tif 000009
【図９】
0004623411.tif 000010
【図１０】
0004623411.tif 000011
【図１１】
0004623411.tif 000012
【図１２】
0004623411.tif 000013
【図１３】
0004623411.tif 000014
【図１４】
0004623411.tif 000015
【図１５】
0004623411.tif 000016